(57)【要約】【課題】蛍光ランプの屈曲形状による端面の位置によらず、蛍光ランプから導出されているリードワイヤを容易に引き回すことができるとともに、回路基板の小形化が可能な電球形蛍光ランプおよびこの電球形蛍光ランプを装着する照明器具を提供する。【解決手段】電球形蛍光ランプ１は、カバー５の一端側５ａに一面側７ａが他端側５ｂに他面側７ｂがそれぞれ対向するようにしてカバー５内に収容され、蛍光ランプ２のリードワイヤ１２ａ，…，１２ｂを挿通する複数の挿通孔３０が形成され、一面側７ａに挿通孔３０を介して挿通されたリードワイヤ１２ａ，…１２ｂがそれぞれ接続される複数の接続部２２，２３，２４，２５が設けられて、蛍光ランプ２を点灯させる点灯回路６の部品が実装された回路基板７を具備する。【選択図】図４
2006210247.tif 000002
【特許請求の範囲】
【請求項１】
両端部に一対の電極が封装された屈曲形のバルブおよび各電極に接続されていて両端部からそれぞれ引き出された複数のリードワイヤを有する蛍光ランプと；
一端側に電球用ソケットに装着可能な口金を有し、他端側に蛍光ランプを配置しているカバーと；
カバーの一端側に一面側が他端側に他面側がそれぞれ対向するようにしてカバー内に収容され、前記リードワイヤを挿通する挿通孔が形成され、一面側に挿通孔を介して挿通された前記リードワイヤがそれぞれ接続される複数の接続部が設けられて、蛍光ランプを点灯させる点灯回路の部品が実装された回路基板と；
を具備していることを特徴とする電球形蛍光ランプ。
【請求項２】
回路基板は、点灯回路の前記接続部の近傍の部位に蛍光ランプの前記リードワイヤが１本ずつ挿通される挿通孔が複数形成されていることを特徴とする請求項１記載の電球形蛍光ランプ。
【請求項３】
請求項１または２記載の電球形蛍光ランプと；
この電球形蛍光ランプが装着される電球用ソケットを有してなる照明器具本体と；
を具備していることを特徴とする照明器具。
【発明の詳細な説明】
【技術分野】
【０００１】
本発明は、点灯回路の構成部品を実装する回路基板を具備する電球形蛍光ランプおよびこの電球形蛍光ランプを装着している照明器具に関する。
【背景技術】
【０００２】
電球形蛍光ランプとして、一端側に口金を備えたカバーの他端側に仕切板を設け、カバー内に点灯回路を収容するとともに、仕切板に蛍光ランプを取着しているものが知られている。そして、点灯回路は、一般的に、蛍光ランプを高周波点灯させる高周波点灯回路で構成され、当該部品が回路基板に装着されている。回路基板には、例えば高周波点灯回路の高周波電圧が出力される端子ピンなどが植立され、この端子ピンに蛍光ランプから導出されているリードワイヤ（リード線）が接続されている。
【０００３】
そして、円板状の回路基板の一面（上面）の周縁部に近い部位に端子ピン（ラッピングピン）が植立され、回路基板の他面（下面）側から周縁部の外側を介して蛍光ランプのリードワイヤが引き回され、リードワイヤと端子ピンを接続する電球形蛍光ランプが提案されている（例えば、特許文献１参照。）。
【０００４】
また、回路基板の周縁部の一部を円弧形または多角形に切り欠きし、この切り欠きした部分を蛍光ランプの端面に位置させるとともに、切り欠き側の縁部の近傍に端子ピンを突設している電球形蛍光ランプが提案されている（例えば、特許文献２参照。）。この従来技術の電球形蛍光ランプは、端子ピンが蛍光ランプの端部に接近しているので、蛍光ランプから導出されているリードワイヤを端子ピンに接続する場合、リードワイヤの開き角が広がり、リードワイヤが相互に接触することが確実に防止されるというものである。
【特許文献１】特開２０００−４８６３３号公報（第４頁、第１図）
【特許文献２】特開平８−７６３３号公報（第３頁、第１図）
【発明の開示】
【発明が解決しようとする課題】
【０００５】
電球形蛍光ランプは、品種によって蛍光ランプの屈曲形状、例えばＵ字形や鞍形あるいは螺旋形などにより、回路基板に対向する蛍光ランプの端面の位置がそれぞれ異なるので、回路基板の端子ピンの位置が常に同一箇所に設けられている場合には、蛍光ランプから導出されるリードワイヤを端子ピンに接続するときにリードワイヤ同士が接触するおそれがある。この接触を防止するためには、リードワイヤに絶縁被覆を被せたり、あるいはリードワイヤ同士が接触しないように充分に離間させてリードワイヤを引き回さなければならない。
【０００６】
また、高周波点灯回路の出力が生じる共振用コンデンサなどの共振回路が回路基板の中央部側に配置され、かつ回路基板の周縁部の近くの部位に端子ピンが設けられていると、端子ピンと共振回路を形成する部品のリードを電気接続する配線パターンが長くなって、当該配線パターンと他の配線パターンおよび他の部品との沿面距離（絶縁距離）を確保する必要がある。この結果、回路基板を小形化しにくくなり、電球形蛍光ランプの小形化が阻害されるという問題がある。
【０００７】
そして、特許文献２の電球形蛍光ランプは、回路基板の周縁部の一部を切り欠きしているので、高周波点灯回路の部品を装着するスペースを確保するために、回路基板が大面積化される結果、大形化されるという欠点を有する。
【０００８】
本発明は、蛍光ランプの屈曲形状による端面の位置によらず、蛍光ランプから導出されているリードワイヤを容易に引き回すことができるとともに、回路基板の小形化が可能な電球形蛍光ランプおよびこの電球形蛍光ランプを装着する照明器具を提供することを目的とする。
【課題を解決するための手段】
【０００９】
請求項１に記載の電球形蛍光ランプの発明は、両端部に一対の電極が封装された屈曲形のバルブおよび各電極に接続されていて両端部からそれぞれ引き出された複数のリードワイヤを有する蛍光ランプと；一端側に電球用ソケットに装着可能な口金を有し、他端側に蛍光ランプを配置しているカバーと；カバーの一端側に一面側が他端側に他面側がそれぞれ対向するようにしてカバー内に収容され、前記リードワイヤを挿通する挿通孔が形成され、一面側に挿通孔を介して挿通された前記リードワイヤがそれぞれ接続される複数の接続部が設けられて、蛍光ランプを点灯させる点灯回路の部品が実装された回路基板と；を具備していることを特徴とする。
【００１０】
本発明および以下の各発明において、特に言及しない限り、各構成は以下による。
【００１１】
屈曲形のバルブは、直管状のバルブを加熱、軟化させて折曲したものの他、管状のバルブ同士を端部で継いで連通させたブリッジ形あるいはブリッジ後にモールド形で形成したバルブも包含される。
【００１２】
蛍光ランプは、一対の電極の両方または一方のみを予熱するもののいずれであってもよい。
【００１３】
回路基板の接続部は、点灯回路の出力部を形成している。そして、接続部は、接続ランド、圧接端子、被溶接端子または棒状のピンの端子など、その接続形態は問わない。
【００１４】
挿通孔は、１本のリードワイヤを挿通可能に形成されていてもよく、あるいはそれぞれ絶縁処理された複数のリードワイヤを挿通するように形成されていてもよい。
【００１５】
本発明によれば、蛍光ランプの両端部からそれぞれ引き出された複数のリードワイヤを挿通孔に挿通させて回路基板の他面側から一面側に導き、複数の接続部にそれぞれ接続させることができるので、回路基板の中央部に点灯回路の出力が形成される部品を配置し、その部品の近くの部位に接続部を設けることができる。これにより、バルブの屈曲形状に応じて蛍光ランプの端面の位置が異なっても、回路基板と蛍光ランプの端面の位置調整を行う必要がない汎用性のある回路基板がカバー内に収容される。また、前記部品と接続部を電気接続する配線パターンの長さが短くなり、当該配線パターンと他の配線パターンおよび他の部品との沿面距離（絶縁距離）の確保が部分的となり、配線パターンの長さが短くなる分および沿面距離（絶縁距離）の確保が部分的である分、残余のスペースが空くので、回路基板の小形化が可能となる。
【００１６】
請求項２に記載の電球形蛍光ランプの発明は、請求項１記載の電球形蛍光ランプにおいて、回路基板は、点灯回路の前記接続部の近傍の部位に蛍光ランプの前記リードワイヤが１本ずつ挿通される挿通孔が複数形成されていることを特徴とする。
【００１７】
本発明によれば、蛍光ランプのリードワイヤを１本ずつ個々の挿通孔に引き回して接続部に接続することにより、リードワイヤ同士の接触が効果的に抑制される。
【００１８】
請求項３に記載の照明器具の発明は、請求項１または２記載の電球形蛍光ランプと；この電球形蛍光ランプが装着される電球用ソケットを有してなる照明器具本体と；を具備していることを特徴とする。
【００１９】
本発明によれば、請求項１または２記載の特長を有する電球形蛍光ランプを備えた照明器具が提供される。
【発明の効果】
【００２０】
請求項１の発明によれば、バルブの屈曲形状に応じて蛍光ランプの端面の位置が異なっても、回路基板と蛍光ランプの端面の位置調整を行う必要のない汎用性のある回路基板をカバー内に収容できるので、電球形蛍光ランプの製造を容易にできる。
【００２１】
請求項２の発明によれば、蛍光ランプのリードワイヤを１本ずつ個々の挿通孔に引き回して接続部に接続することにより、リードワイヤ同士の接触を効果的に抑制することができる。
【００２２】
請求項３の発明によれば、請求項１または２記載の特長を有する電球形蛍光ランプを備えた照明器具を提供することができる。
【発明を実施するための最良の形態】
【００２３】
以下、本発明の一実施の形態について、図面を参照して説明する。
【００２４】
図１乃至図４は、本発明の第１の実施形態を示し、図１は電球形蛍光ランプの一部切り欠き正面図、図２は蛍光ランプの端面の概略位置図、図３は点灯回路の回路図、図４は回路基板における点灯回路部品の概略配置図を示し、（ａ）は上面図、（ｂ）は下面図である。
【００２５】
図１において、電球形蛍光ランプ１は、屈曲形の蛍光ランプ２、蛍光ランプ２を支持しているホルダー３、一端側５ａに口金４を有し、他端側５ｂにホルダー３を固着しているカバー５、カバー５に収容されている点灯回路６の部品を実装している回路基板７を有して構成されている。
【００２６】
蛍光ランプ２は、Ｕ字形に屈曲された３本のバルブ８ａ，８ｂ，８ｃを継ぎ部９によって連結し、１つの放電路が形成されている。そして、連結されたバルブ８ａ，８ｂ，８ｃは、内面に可視光を発光する蛍光体層１０が形成され、内部に水銀および希ガスとしてのアルゴンガスなどの放電媒体が封入されている。
【００２７】
また、放電路の両端部に、すなわちバルブ８ａおよびバルブ８ｃのそれぞれの一端部に、一対の電極としてのフィラメント電極１１，１１が封装されている。そして、当該一端部からフィラメント電極１１，１１の両端にそれぞれ接続されている１対のリードワイヤ１２ａ，１２ａ、１２ｂ，１２ｂが引き出されている。そして、バルブ８ａ，８ｂ，８ｃのそれぞれの両端部は、ホルダー３に支持されている。
【００２８】
ホルダー３は、ポリブチレンテレフタレート（ＰＢＴ）などの耐熱性を有する合成樹脂により有底の略円筒状に形成されている。そして、側壁１３の上端部に回路基板７を配設している。また、底板１４には、バルブ８ａ，８ｂ，８ｃのそれぞれの両端部を貫通させる図示しない貫通孔がそれぞれ形成されている。バルブ８ａ，８ｂ，８ｃは、それぞれの両端部が貫通孔に貫通された状態で接着材により底板１４に固着されている。蛍光ランプ２は、図２に示すように、その端部が略正六角形の頂角に位置するようにして構成されており、その各端部が底板１４に固着され、回路基板７の他面側７ｂに対向している。こうして、蛍光ランプ２は、ホルダー３に支持されている。
【００２９】
カバー５は、図１に示すように、下方に拡開するカバー本体部１５と、このカバー本体部１５の上側から略円筒状に延設された口金取付部１６に形成されている。カバー５は、ポリブチレンテレフタレート（ＰＢＴ）などの耐熱性を有する合成樹脂によって形成され、一端側５ａに電球用ソケットに装着可能な口金４を有し、他端側５ｂにホルダー３を接着材などにより固着している。すなわち、カバー５は、他端側５ｂにホルダー３を介して蛍光ランプ２を配置している。
【００３０】
そして、口金４は、Ｅ２６形などのエジソン形の口金を構成しており、カバー５の口金取付部１６に被せてポンチしてかしめられている。このとき、点灯回路６と電気的に接続される図示しないリード線（入力線）が口金４のアイレット４Ａおよびシェル４Ｂにそれぞれ接続される。そして、カバー５は、カバー本体部１６の内部に回路基板７を収容している。
【００３１】
回路基板７は、ガラスエポキシ樹脂からなり、略円板状に形成されているとともに、一面側（上面側）７ａがカバー５の一端側５ａに、他面側（下面側）７ｂがカバー５の他端側５ｂにそれぞれ対向するようにして、ホルダー３の側壁１３の上端部に嵌合または接着材などにより固着され、カバー５内に収容されている。そして、回路基板７は、蛍光ランプ２を点灯させる点灯回路６の部品が実装されている。
【００３２】
点灯回路６は、図３に示すように、蛍光ランプ２を高周波点灯させる公知の高周波点灯回路で構成されている。すなわち、商用交流電源ＶｓにヒューズＦ１を介して接続されたコンデンサＣ１およびインダクタＬ１からなるノイズフィルタ回路１７、全波整流器ＤＢおよび平滑用コンデンサＣ２からなる整流平滑回路１８、互いに相補形となるＭＯＳ形の電界効果形トランジスタＱ１，Ｑ２のスイッチング回路１９、抵抗Ｒ１〜抵抗Ｒ３、直流カット用コンデンサＣ３、コンデンサＣ４〜コンデンサＣ６、電界効果形トランジスタＱ１，Ｑ２のゲート保護のためのツェナーダイオードＺＤ１，ＺＤ２および二次巻線ＣＴ１ｂを有する非飽和形の電流トランスＣＴ１を有してなるインバータ回路２０、インダクタＬ２および共振用コンデンサＣ７からなる共振回路２１を有して構成されている。
【００３３】
そして、点灯回路６は、共振回路２１のインダクタＬ２の一端側および共振用コンデンサＣ７の一端側に一対の接続部（出力端子）２２，２３が形成され、電界効果トランジスタＱ２のソース側および共振用コンデンサＣ７の他端側に１対の接続部（出力端子）２４，２５が形成されている。そして、一対の接続部２２，２３に蛍光ランプ２から引き出されたリードワイヤ１２ａ，１２ａが接続され、一対の接続部２４，２５にリードワイヤ１２ｂ，１２ｂが接続されている。点灯回路６は、電界効果形トランジスタＱ１，Ｑ２が交互にオンオフ動作することにより、高周波電圧を接続部２２，２３および接続部２４，２５に出力して、蛍光ランプ２を点灯させる。
【００３４】
点灯回路６の部品は、電界効果形トランジスタＱ１，Ｑ２等を除いて、大部分が回路基板７の一面側７ａに実装されている。回路基板７の他面側７ｂは、配線パターンが形成され、部品のリード（端子）が配線パターンに半田付けされる半田面に形成されている。また、他面側７ｂには、比較的耐熱性が強く、厚さ（高さ）寸法の小さい電界効果形トランジスタＱ１，Ｑ２等の部品が実装されている。
【００３５】
そして、回路基板７は、図４（ａ）に示すように、一面側７ａの中央部に整流平滑回路１８の平滑用コンデンサであって比較的背の高い電解コンデンサＣ２が配置され、電界コンデンサＣ２の近くの部位に比較的背の低いインダクタＬ２、直流カット用コンデンサＣ３および共振用コンデンサＣ７などが配置されている。他の部品は、図示を省略しているが、上記部品の周辺または隙間、さらには許容されれば上下方向に積層する関係で実装されている。
【００３６】
そして、共振用コンデンサＣ７の両端側の近傍の部位にそれぞれ接続部としてのラッピングピン２３，２５が植立され、インダクタＬ２の近傍の部位にラッピングピン２３と対をなす接続部としてのラッピングピン２２が植立されている。また、ラッピングピン２５の近くの部位にラッピングピン２５と対をなす接続部としてのラッピングピン２４が植立されている。
【００３７】
回路基板７の他端側７ｂにおいて、図４（ｂ）に示すように、ラッピングピン２２は、インダクタＬ２の一端側の端子に配線パターン２６を介して電気接続されるように半田付けされ、ラッピングピン２３は、共振用コンデンサＣ７の一端側のリードに配線パターン２７を介して電気接続されるように半田付けされている。また、ラッピングピン２５は、共振用コンデンサＣ７の他端側のリードに配線パターン２８を介して電気接続されるように半田付けされている。そして、ラッピングピン２４は、回路基板７の他端側７ｂに実装された電界効果トランジスタＱ２のソースに配線パターン２９を介して電気接続されるように半田付けされている。
【００３８】
そして、回路基板７は、ラッピングピン２２，２３およびラッピングピン２４，２５のそれぞれの近傍の部位に蛍光ランプ２から引き出されたリードワイヤ１２ａ，１２ａおよびリードワイヤ１２ｂ，１２ｂを１本ずつ挿通することのできる大きさに形成された複数の挿通孔３０が設けられている。そして、リードワイヤ１２ａ，１２ａおよびリードワイヤ１２ｂ，１２ｂは、それぞれ挿通孔３０に回路基板７の他面側７ｂから１本ずつ挿通されて一面側７ａに引き回され、ラッピングピン２２，２３およびラッピングピン２４，２５にラッピングされて電気的および機械的に接続されている。
【００３９】
また、回路基板７の他端側７ｂには、電界効果形トランジスタＱ２の他に、他方の電界効果形トランジスタＱ１および略板状の本体を有する部品３１が実装されている。
【００４０】
電球形蛍光ランプ１は、上述したように構成され、口金４が給電されると、蛍光ランプ２から可視光を放射する。すなわち、口金４を介して点灯回路６が給電されると、点灯回路６は、ラッピングピン２２，２３およびラッピングピン２４，２５に高周波電圧を出力し、この高周波電圧は、蛍光ランプ２のリードワイヤ１２ａ，１２ａおよびリードワイヤ１２ｂ，１２ｂを介してフィラメント電極１１，１１間に印加される。そして、フィラメント電極１１，１１間の放電路に放電が形成され、放電媒体を構成する水銀蒸気から紫外線が放射される。この紫外線によって蛍光体膜１０が励起されて可視光を放射し、バルブ８ａ，８ｂ，８ｃから外部に放射される。
【００４１】
次に、本発明の第１の実施形態の作用について述べる。
【００４２】
図４において、蛍光ランプ２から引き出されたリードワイヤ１２ａ，１２ａおよびリードワイヤ１２ｂ，１２ｂは、回路基板７のラッピングピン２２，２３およびラッピングピン２４，２５のそれぞれの近傍の部位に形成された複数の挿通孔３０にそれぞれ１本ずつ挿通される。回路基板７は、ホルダー３の側壁１３の上端部に固着される。そして、ホルダー３をカバー５の他端側５ｂに固着する。これにより、回路基板７は、カバー５内に収容される。
【００４３】
そして、リードワイヤ１２ａ，１２ａおよびリードワイヤ１２ｂ，１２ｂは、ラッピングピン２２，２３およびラッピングピン２４，２５にそれぞれラッピングされて接続される。この後、カバー５の口金取付部１６に口金４を被せてポンチしてかしめる。このとき、回路基板７の入力線の１つが口金４のアイレット４Ａと口金取付部１６に挟持されて口金４に接続される。そして、入力線の他方が口金４のシェル４Ｂに接続される。
【００４４】
そして、上述において、リードワイヤ１２ａ，１２ａおよびリードワイヤ１２ｂ，１２ｂが引き出されている蛍光ランプ２の端面が例えば挿通孔３０の形成されている部位側の回路基板７の他面側７ｂに対向するように、蛍光ランプ２をホルダー３の底板１４に支持または回路基板７をホルダー３の側壁１３の上端部に固着させることにより、および、リードワイヤ１２ａ，１２ａおよびリードワイヤ１２ｂ，１２ｂをそれぞれ挿通孔３０に引き回すことにより、リードワイヤ１２ａ，１２ａ同士およびリードワイヤ１２ｂ，１２ｂ同士の開き角が広がり、相互に接触することが防止される。この結果、リードワイヤ１２ａ，１２ａおよびリードワイヤ１２ｂ，１２ｂに絶縁被覆を被せる等の絶縁処理が不要となり、配線に要する手間が省略される。また、リードワイヤ１２ａ，１２ａおよびリードワイヤ１２ｂ，１２ｂが引き回しにおいて、リードワイヤ１２ａ，１２ａおよびリードワイヤ１２ｂ，１２ｂが例えば回路基板７の他面側７ｂの半田部（給電露出部）に接触しなくなるものであり、当該引き回しが容易なものとなる。
【００４５】
なお、蛍光ランプ２に代えて、図５（ａ）に示すＵ字形に形成された１本のバルブ８ａを有してなる蛍光ランプ３７、図５（ｂ）に示すＵ字形に形成された２本のバルブ８ａ，８ｃを有してなる蛍光ランプ３８、または、図５（ｃ）に示すＵ字形に形成された４本のバルブ８ａ，８ｂ，８ｃ，８ｄを有してなる蛍光ランプ３９がホルダー３に支持されるものであっても、回路基板７を用いれば上記と同様の作用を奏する。なぜなら、回路基板７の挿通孔３０は、蛍光ランプの端部が存在し得る部位の平均的な領域である回路基板７の略中央部に形成されているので、リードワイヤ１２ａ，…，１２ｂの引き回しが極端に長くなったり交差し合うことが回避されるためである。このように、蛍光ランプ３７，３８，３９は、その全端面側が回路基板７の他面側７ｂに対称的に対向するように配設する。好ましくは、リードワイヤ１２ａ，１２ａおよびリードワイヤ１２ｂ，１２ｂを引き出している端面が回路基板７の挿通孔３０に近くなるように配設する。これにより、リードワイヤ１２ａ，１２ａおよびリードワイヤ１２ｂ，１２ｂは、相互に接触することなく、挿通孔３０に引き回すことができる。すなわち、蛍光ランプ３７，３８，３９の屈曲形状による端面の位置によらず、リードワイヤ１２ａ，…，１２ｂを容易に引き回すことができる。
【００４６】
そして、回路基板７において、点灯回路６の出力部であるラッピングピン２２，２３およびラッピングピン２４，２５がインダクタＬ２の一端側、共振用コンデンサＣ７の両端側および電界効果形トランジスタＱ２のソース側のそれぞれの近傍の部位に植立されているので、図４（ｂ）に示すように、ラッピングピン２２，２３およびラッピングピン２４，２５と、インダクタＬ２、共振用コンデンサＣ７および電界効果形トランジスタＱ２をそれぞれ電気接続する配線パターン２６，２７，２８，２９が極力短くなっている。
【００４７】
配線パターン２６，２７，２８，２９の長さが極力短くなっていると、点灯回路６の高電圧が出力される配線パターン２６，２７，２８，２９との間で沿面距離（絶縁距離）を確保する他の配線パターンや他の部品が限定的なものとなり、この沿面距離（絶縁距離）を確保する回路基板７のスペースが少なくなる。したがって、インダクタＬ２、共振用コンデンサＣ７および電界効果形トランジスタＱ２の周りに密集して、点灯回路６の残余の部品を配置させることができるので、回路基板７を小形化させることができる。
【００４８】
図７は、ラッピングピン２２，２３およびラッピングピン２４，２５が周縁側に植立されている従来技術の回路基板３２の概略配置図の一例である。回路基板３２において、ラッピングピン２２，２３およびラッピングピン２４，２５と、回路基板３２の略中央部側に配置されたインダクタＬ２、共振用コンデンサＣ７および電界効果形トランジスタＱ２をそれぞれ電気接続する配線パターン３３，３４，３５，３６は長くなっている。
【００４９】
配線パターン３３，３４，３５，３６には点灯回路６の高電圧（高周波電圧）が出力されるので、配線パターン３３，３４，３５，３６の全長に亘って、配線パターン３３，３４同士および配線パターン３５，３６同士の間隔が広くなっている。また、配線パターン３３，３４，３５，３６と図示しない他の配線パターンや他の部品との間隔（絶縁距離）も大きくなっている。すなわち、配線パターン３３，３４同士および配線パターン３５，３６同士の沿面距離（絶縁距離）が大きくなっているとともに、配線パターン３３，３４，３５，３６からの沿面距離（絶縁距離）が確保されるように点灯回路６の残余の部品が配置されるので、回路基板３２は、必然的に、大形化されるものである。
【００５０】
上述したように、蛍光ランプ２から引き出されたリードワイヤ１２ａ，１２ａおよびリードワイヤ１２ｂ，１２ｂを回路基板７の一面側７ａに挿通孔３０を介して挿通させてラッピングピン２２，２３およびラッピングピン２４，２５に接続させることができるので、ラッピングピン２２，２３およびラッピングピン２４，２５をインダクタＬ２、共振用コンデンサＣ７および電界効果形トランジスタＱ２のそれぞれの近傍の部位に植立させることができる。そして、リードワイヤ１２ａ，１２ａおよびリードワイヤ１２ｂ，１２ｂをそれぞれの挿通孔３０を介して回路基板７に挿通させてラッピングピン２２，２３およびラッピングピン２４，２５に接続させることにより、リードワイヤ１２ａ，１２ａおよびリードワイヤ１２ｂ，１２ｂの引き回しが容易であり、回路基板７が小形化されることにより、電球形蛍光ランプ１が小形化される。
【００５１】
なお、電球形蛍光ランプ１は、蛍光ランプ２を覆うグローブがカバー５の他端側５ｂに取付けられたものであってもよい。グローブは、透明あるいは光拡散性を有する乳白色などであって、ガラスあるいは合成樹脂により形成することができる。
【００５２】
次に、本発明の第２の実施形態について説明する。
【００５３】
図６は、本発明の第２の実施形態を示す照明器具の一部切り欠き正面図である。なお、図１と同一部分には同一符号を付して説明は省略する。
【００５４】
図６に示す照明器具４０は、天井に埋設されるダウンライトであり、照明器具本体４１の深部４１ａ側に電球形蛍光ランプ１の口金４が取り付けられる電球用ソケット４２が配設されている。
【００５５】
電球形蛍光ランプ１は、口金４を介して点灯回路６が給電されると、点灯回路６が動作することにより、バルブ８ａ，８ｂ，８ｃから可視光を放射する。可視光は、照明器具本体４１の内面で反射され、直接光とともに開口部４３から出射される。
【００５６】
電球形蛍光ランプ１が小形化されることにより、小形化された照明器具４０が提供される。
【図面の簡単な説明】
【００５７】
【図１】本発明の第１の実施形態を示す電球形蛍光ランプの一部切り欠き正面図。
【図２】同じく、蛍光ランプの端面の概略位置図。
【図３】同じく、点灯回路の回路図。
【図４】同じく、回路基板における点灯回路部品の概略配置図を示し、（ａ）は上面図、（ｂ）は下面図。
【図５】他の蛍光ランプの端面の概略位置図。
【図６】本発明の第２の実施形態を示す照明器具の一部切り欠き正面図。
【図７】従来技術の回路基板の概略配置図。
【符号の説明】
【００５８】
１…電球形蛍光ランプ
２…蛍光ランプ
５…カバー
７…回路基板
４０…照明器具
４１…照明器具本体
【図１】
2006210247.tif 000003
【図２】
2006210247.tif 000004
【図３】
2006210247.tif 000005
【図４】
2006210247.tif 000006
【図５】
2006210247.tif 000007
【図６】
2006210247.tif 000008
【図７】
2006210247.tif 000009